(57)【特許請求の範囲】
【請求項１】
表面が平滑な設置台上に、開口部を上下にしてハニカムブロック供試体を載置し、ハニカムブロック供試体の上方から重量物を落下させてハニカムブロック供試体の衝撃吸収特性を測定する衝撃試験装置であって、
前記設置台に、圧縮空気の排気孔または排気溝を形成して成る衝撃試験装置。
【請求項２】
前記排気溝を備えた設置台の場合、通気孔を備えた面板を設置する請求項１に記載の衝撃試験装置。
【発明の詳細な説明】
【０００１】
【発明の属する技術分野】
この発明は、ハニカムブロック供試体の衝撃試験装置にかかわり、更に詳しくはハニカムブロック本来の荷重特性を測定することが出来る衝撃試験装置に関するものである。
【０００２】
【従来の技術】
従来、ハニカムブロックの衝撃試験装置としては、例えば、図６に示すように表面が平滑な設置台１上に、開口部２ａを上下にしてハニカムブロック供試体２を載置し、ハニカムブロック供試体２の上方から重量落下物３を落下させてハニカムブロック供試体の衝撃吸収特性を測定する方法が行われている。
【０００３】
【発明が解決しようとする課題】
然しながら、従来の衝撃試験装置の場合、設置台１の表面及び重量落下物３の表面は平滑であるため、重量落下物３がハニカムブロック供試体３に接触して座屈変形を開始すると、ハニカムブロック供試体３の上下開口部２ａは閉鎖されて通気性は失われる。
【０００４】
このため、高速で座屈変形するハニカムブロック供試体３の内部では、空気が圧縮され、検出される荷重にはその圧縮空気の影響が含まれ、ハニカムブロック供試体３本来の衝撃吸収特性を特定することが難しいと言う問題があった。
【０００５】
この発明の目的は、ハニカムブロック供試体の内部と外気との通気性を確保することにより、座屈変形時の空気の圧縮による荷重増加を排除でき、ハニカムブロック供試体本来の荷重特性を容易に測定できる衝撃試験装置を提供することにある。
【０００６】
【課題を解決するための手段】
この発明は、上記目的を達成するため、表面が平滑な設置台上に、開口部を上下にしてハニカムブロック供試体を載置し、ハニカムブロック供試体の上方から重量物を落下させてハニカムブロック供試体の衝撃吸収特性を測定する衝撃試験装置であって、前記設置台に、圧縮空気の排気孔または排気溝を形成したことを要旨とするものである。
【０００７】
この発明は、上記のように構成され、ハニカムブロック供試体を載置する設置台に圧縮空気の排気孔または排気溝を形成することで、ハニカムブロック供試体の内部と外気との通気性を確保でき、座屈変形時の空気の圧縮による荷重増加を排除でき、ハニカムブロック供試体本来の荷重特性を容易に測定できるものである。
【０００８】
【発明の実施の形態】
以下、添付図面に基づきこの発明の実施の形態を説明する。
図１は、この発明の第１実施形態を示す衝撃試験装置の分解斜視図、図２は平面図を示し、この衝撃試験装置は、表面が平滑な設置台１０上に、セルの開口部１１ａを上下にしてハニカムブロック供試体１１を載置し、ハニカムブロック供試体１１の上方から平滑な底面を有する重量物Ｗを落下させて衝撃吸収特性を測定するものである。
【０００９】
この発明の第１実施形態では、図１及び図２に示すように前記設置台１０の平滑な平面１０ａに、ハニカムブロック供試体１１の圧縮時にハニカムブロック供試体１１内の圧縮空気を外部に排出させる格子状の排気溝１２を形成するものである。
【００１０】
前記排気溝１２の深さとしては、０．１mm以上で、溝幅は図３に示すように六角形状のセル１４の対角線長さＬの５％以上とし、溝間隔は、溝間隔と溝幅との和が前記六角形状のセル１４の対角線長さＬの５０％以下となるのが好ましい。
【００１１】
また圧縮時に排気溝１２内にハニカムブロック供試体１１の端面が嵌まり込むのを防止するために、複数の貫通孔１３ａを形成した平滑な面板１３を介在させることが好ましく、この平滑な面板１３は、剛性を有し、かつセル１４一つにつきセル面積の４０％以上の面積を有する貫通孔１３ａを形成するものである。
また、この平滑な面板１３は、ハニカムブロック供試体１１と設置台１０との間に設置するか、またはハニカムブロック供試体１１の下面に接着するのが好ましい。
【００１２】
次に、図４はこの発明の第２実施形態を示し、この実施形態は、脚部１５ａを備えたテーブル状の設置台１５に、排気溝の代わりに貫通した複数の排気孔１６を形成したもので、排気孔１６の大きさ、及びハニカムブロック供試体１１のセル面積に対する排気孔１６の占有率については、上記第１実施形態と同様に形成するものである。
【００１３】
この実施形態の場合には、設置台１５の上面が平滑であるため、上記第１実施形態のように貫通孔１３ａを有する平滑な面板１３を介在させる必要がない。
【００１４】
以上のようにハニカムブロック供試体１１を載置する設置台１０または１５に圧縮空気の排気溝１２または排気孔１６を形成することで、ハニカムブロック供試体１１の内部と外気との通気性を確保でき、座屈変形時の空気の圧縮による荷重増加を排除でき、ハニカムブロック供試体１１本来の荷重特性を容易に測定できるものである。
【００１５】
図５は、荷重（ＫＮ）と変位（mm）との関係において、従来の設置台によるハニカムブロック供試体１１の衝撃試験と、この発明の設置台１０または１５を使用した衝撃試験とを比較した結果を示すグラフ説明図であって、この発明の設置台１０または１５を使用した衝撃試験では、座屈変形時の空気の圧縮による荷重増加がなく、ハニカムブロック供試体１１本来の荷重特性を精度良く測定できることが判った。
【００１６】
【発明の効果】
この発明は、上記のように表面が平滑な設置台上に、開口部を上下にしてハニカムブロック供試体を載置し、ハニカムブロック供試体の上方から重量物を落下させてハニカムブロック供試体の衝撃吸収特性を測定する衝撃試験装置であって、前記設置台に、圧縮空気の排気孔または排気溝を形成したので、ハニカムブロック供試体の内部と外気との通気性を確保でき、座屈変形時の空気の圧縮による荷重増加を排除でき、ハニカムブロック供試体本来の荷重特性を精度良く測定できる効果がある。
【図面の簡単な説明】
【図１】この発明の第１実施形態を示す衝撃試験装置の分解斜視図である。
【図２】図１の平面図である。
【図３】ハニカムブロック供試体のセルの説明図である。
【図４】この発明の第２実施形態を示す衝撃試験装置の分解斜視図である。
【図５】従来の設置台を使用した衝撃試験と、この発明の設置台を使用した衝撃試験とを比較したグラフ説明図である。
【図６】従来の衝撃試験装置の分解斜視図である。
【符号の説明】
１０  設置台                        １０ａ  設置台の平滑な平面
１１  ハニカムブロック供試体        １１ａ  セルの開口部
１２  排気溝                        １３ａ  貫通孔
１３  平滑な面板                      １４  セル
１５  テーブル状の設置台            １５ａ  脚部
１６  複数の排気孔                      Ｗ  重量物
【図１】
0003876078.tif 000002
【図２】
0003876078.tif 000003
【図３】
0003876078.tif 000004
【図４】
0003876078.tif 000005
【図５】
0003876078.tif 000006
【図６】
0003876078.tif 000007